(57)【要約】【課題】電子辞書装置において、ユーザ指定の漢字が母国語ではない他の言語系の漢字である場合に、当該漢字の情報を母国語として分かり易く表示させること。【解決手段】任意の辞書から検索された辞書情報が表示部１８に表示された状態で、当該辞書情報の中の所望の漢字を指定すると、該指定漢字の言語系の読み辞書からその「読み」が検索されて表示される。そして「クロスジャンプ」キー１７ａを操作すると、前記指定漢字の言語系の文字コードがcode変換テーブルによりユニコードに変換されると共に、装置本体の仕向け地に応じた言語系の文字コードあるいは前記辞書の対訳言語系に応じた文字コードに変換され、対応する言語系の読み辞書から該変換された文字コードの漢字とその読みが検索されて表示される。また前記指定漢字のユニコードから当該指定漢字に対応する英語等の付属情報も付属情報辞書から検索され詳細表示画面Ｈとして表示される。【選択図】      図５
2010160752.tif 000002
【特許請求の範囲】
【請求項１】
各言語系毎に作成された辞書情報を記憶する辞書記憶手段と、
前記各言語系の言語コード間を共通コードにより対応付けたコード変換テーブルを記憶するテーブル記憶手段と、
表示部に文章情報を表示させる情報表示制御手段と、
ユーザ操作に応じて前記情報表示制御手段により表示された文章情報の中の漢字が指定された場合に、当該指定の漢字の言語コードを、前記テーブル記憶手段により記憶されたコード変換テーブルに基づき一旦共通コードに変換し、さらに所定の言語系の言語コードに変換するコード変換手段と、
このコード変換手段により変換された所定の言語系の言語コードに対応して、前記辞書記憶手段により記憶された言語系の辞書情報を検索する辞書検索手段と、
この辞書検索手段により検索された辞書情報を前記表示部に表示させる辞書情報表示制御手段と、
を備えたことを特徴とする電子辞書装置。
【請求項２】
前記辞書記憶手段は、各言語系毎に当該言語系の漢字とその読みからなる辞書情報を記憶することを特徴とする請求項１に記載の電子辞書装置。
【請求項３】
各種の漢字に関する付属の情報を当該各漢字毎の共通コードに対応付けて記憶する付属情報記憶手段と、
前記コード変換手段により変換された前記指定の漢字の共通コードに対応して、前記付属情報記憶手段により記憶された漢字に関する付属の情報を検索する付属情報検索手段とを備え、
前記辞書情報表示制御手段は、前記辞書検索手段により検索された辞書情報と共に前記付属情報検索手段により検索された付属情報を前記表示部に表示させる、
ことを特徴とする請求項２に記載の電子辞書装置。
【請求項４】
前記所定の言語系は、ユーザの母国語に応じて予め設定された言語系であることを特徴とする請求項１ないし請求項３の何れか１項に記載の電子辞書装置。
【請求項５】
第１の言語系の見出し語に対応付けて第２の言語系の説明情報を記憶する対訳辞書記憶手段をさらに備え、
前記情報表示制御手段は、ユーザ操作に応じて入力された第１の言語系の見出し語に対応して、前記対訳辞書記憶手段により記憶された第２の言語系の説明情報を検索する対訳辞書検索手段と、この対訳辞書検索手段により検索された説明情報を表示部に表示させる説明情報表示制御手段とからなり、
前記所定の言語系は、前記ユーザ操作に応じて指定された漢字の言語系が、第１の言語系である場合には第２の言語系に設定され、第２の言語系である場合には第１の言語系に設定される、ことを特徴とする請求項１ないし請求項３の何れか１項に記載の電子辞書装置。
【請求項６】
各言語系毎に作成された辞書情報を記憶する辞書記憶手段と、前記各言語系の言語コード間を共通コードにより対応付けたコード変換テーブルを記憶するテーブル記憶手段と、表示部とを有する電子装置のコンピュータを制御するためのプログラムであって、
前記コンピュータを、
前記表示部に文章情報を表示させる情報表示制御手段、
ユーザ操作に応じて前記情報表示制御手段により表示された文章情報の中の漢字が指定された場合に、当該指定の漢字の言語コードを、前記テーブル記憶手段により記憶されたコード変換テーブルに基づき一旦共通コードに変換し、さらに所定の言語系の言語コードに変換するコード変換手段、
このコード変換手段により変換された所定の言語系の言語コードに対応して、前記辞書記憶手段により記憶された言語系の辞書情報を検索する辞書検索手段、
この辞書検索手段により検索された辞書情報を前記表示部に表示させる辞書情報表示制御手段、
として機能させるようにしたコンピュータ読み込み可能なプロクラム。
【発明の詳細な説明】
【技術分野】
【０００１】
本発明は、複数の言語間で使用される漢字についての情報を検索するための電子辞書装置およびそのプログラムに関する。
【背景技術】
【０００２】
通常、言語系の辞書は、ユーザの自国の言語（母国語）と異なる言語を学習するために利用される。
【０００３】
漢字は、日本、中国、韓国など、異なる言語間で使用されているが、同義の漢字であっても異なる言語間でその発音が異なるのは勿論である。
【０００４】
このため、同義の漢字を学習する場合でも、ユーザが何の言語の学習を行うかによってその発音に応じた読みを表示することが望まれる。
【０００５】
電子辞書装置における説明情報の表示画面において、ユーザ所望の漢字をカーソルにより指定した場合に、当該指定の漢字と一致する見出し語からその「よみ」を逆検索して表示する機能を備えた情報表示制御装置が考えられている（例えば、特許文献１参照。）。
【特許文献１】特開２００５−２９３２１７号公報
【発明の開示】
【発明が解決しようとする課題】
【０００６】
電子データとしての漢字のデータベースは、各漢字の文字コードに実際のフォントパターンを対応付けて記憶管理されるが、異なる言語間では同義の漢字であっても、各言語のそれぞれにおいて固有の文字コードが対応付けられて管理される。
【０００７】
このため、従来の電子辞書装置では、例えば日中辞典により検索表示された説明情報中に含まれる中国語の漢字について、その漢字を指定して中国語での「よみ」を表示させることはできるものの、当該指定の中国語の漢字から日本語など他の言語に存在する同義の漢字やその「よみ」を簡単に検索して表示させることはできない。
【０００８】
本発明は、このような課題に鑑みなされたもので、ユーザ指定の漢字が母国語ではない他の言語系の漢字である場合に、当該漢字の情報を母国語として分かり易く表示させることが可能になる電子辞書装置およびプログラムを提供することを目的とする。
【課題を解決するための手段】
【０００９】
請求項１に記載の電子辞書装置は、各言語系毎に作成された辞書情報を記憶する辞書記憶手段と、前記各言語系の言語コード間を共通コードにより対応付けたコード変換テーブルを記憶するテーブル記憶手段と、表示部に文章情報を表示させる情報表示制御手段と、ユーザ操作に応じて前記情報表示制御手段により表示された文章情報の中の漢字が指定された場合に、当該指定の漢字の言語コードを、前記テーブル記憶手段により記憶されたコード変換テーブルに基づき一旦共通コードに変換し、さらに所定の言語系の言語コードに変換するコード変換手段と、このコード変換手段により変換された所定の言語系の言語コードに対応して、前記辞書記憶手段により記憶された言語系の辞書情報を検索する辞書検索手段と、この辞書検索手段により検索された辞書情報を前記表示部に表示させる辞書情報表示制御手段と、を備えたことを特徴としている。
【００１０】
請求項２に記載の電子辞書装置は、前記請求項１に記載の電子辞書装置において、前記辞書記憶手段は、各言語系毎に当該言語系の漢字とその読みからなる辞書情報を記憶することを特徴としている。
【００１１】
請求項３に記載の電子辞書装置は、前記請求項２に記載の電子辞書装置において、各種の漢字に関する付属の情報を当該各漢字毎の共通コードに対応付けて記憶する付属情報記憶手段と、前記コード変換手段により変換された前記指定の漢字の共通コードに対応して、前記付属情報記憶手段により記憶された漢字に関する付属の情報を検索する付属情報検索手段とを備え、前記辞書情報表示制御手段は、前記辞書検索手段により検索された辞書情報と共に前記付属情報検索手段により検索された付属情報を前記表示部に表示させる、ことを特徴としている。
【００１２】
請求項４に記載の電子辞書装置は、前記請求項１ないし請求項３の何れか１項に記載の電子辞書装置において、前記所定の言語系は、ユーザの母国語に応じて予め設定された言語系であることを特徴としている。
【００１３】
請求項５に記載の電子辞書装置は、前記請求項１ないし請求項３の何れか１項に記載の電子辞書装置において、第１の言語系の見出し語に対応付けて第２の言語系の説明情報を記憶する対訳辞書記憶手段をさらに備え、前記情報表示制御手段は、ユーザ操作に応じて入力された第１の言語系の見出し語に対応して、前記対訳辞書記憶手段により記憶された第２の言語系の説明情報を検索する対訳辞書検索手段と、この対訳辞書検索手段により検索された説明情報を表示部に表示させる説明情報表示制御手段とからなり、前記所定の言語系は、前記ユーザ操作に応じて指定された漢字の言語系が、第１の言語系である場合には第２の言語系に設定され、第２の言語系である場合には第１の言語系に設定される、ことを特徴としている。
【００１４】
請求項６に記載のプログラムは、各言語系毎に作成された辞書情報を記憶する辞書記憶手段と、前記各言語系の言語コード間を共通コードにより対応付けたコード変換テーブルを記憶するテーブル記憶手段と、表示部とを有する電子装置のコンピュータを制御するためのプログラムであって、前記コンピュータを、前記表示部に文章情報を表示させる情報表示制御手段、ユーザ操作に応じて前記情報表示制御手段により表示された文章情報の中の漢字が指定された場合に、当該指定の漢字の言語コードを、前記テーブル記憶手段により記憶されたコード変換テーブルに基づき一旦共通コードに変換し、さらに所定の言語系の言語コードに変換するコード変換手段、このコード変換手段により変換された所定の言語系の言語コードに対応して、前記辞書記憶手段により記憶された言語系の辞書情報を検索する辞書検索手段、この辞書検索手段により検索された辞書情報を前記表示部に表示させる辞書情報表示制御手段、として機能させることを特徴としている。
【発明の効果】
【００１５】
本発明によれば、ユーザ指定の漢字が母国語ではない他の言語系の漢字である場合に、当該漢字の情報を母国語として分かり易く表示させることが可能になる電子辞書装置およびプログラムを提供できる。
【発明を実施するための最良の形態】
【００１６】
以下図面により本発明の実施の形態について説明する。
【００１７】
図１は、本発明の実施形態に係る電子辞書装置の電子回路の構成を示すブロック図である。
【００１８】
この電子辞書装置は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機などとして構成される。
【００１９】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２０】
ＣＰＵ１１は、主記憶装置（フラッシュメモリ）１２内に予め記憶された装置制御プログラム１２Ｐ、あるいはＲＯＭカードなどの外部記憶媒体１３から記憶媒体読み書き部１４を介して前記主記憶装置１２に読み込まれた装置制御プログラム１２Ｐ、あるいはユーザＰＣ(Personal Computer)２０によって接続されるインターネットＮ上のＷｅｂサーバ（この場合はプログラムサーバ）３０から通信制御部１５を介して前記主記憶装置１２に読み込まれた装置制御プログラム１２Ｐに応じて、ＲＡＭ（作業領域）１６に各種の作業データを格納し回路各部の動作を制御する。
【００２１】
前記主記憶装置１２に記憶された装置制御プログラム１２Ｐは、キー入力部１７からのキー入力信号や表示部１８の表示画面に重ねて設けられたタッチパネル１９からのユーザ操作に応じたタッチ位置検出信号、あるいは通信制御部１５からユーザＰＣ２０を介して接続されるインターネットＮ上の各Ｗｅｂサーバ３０…との通信信号、あるいは記憶媒体読み書き部１４を介して外部接続されるＥＥＰＲＯＭ，ＲＡＭ，ＲＯＭなどのメモリ・カード（記憶媒体）１３との接続通信信号に応じて起動される。
【００２２】
前記ＣＰＵ１１には、前記主記憶装置１２、記憶媒体読み書き部１４、通信制御部１５、ＲＡＭ１６、キー入力部１７、表示部１８、タッチパネル１９が接続される。
【００２３】
主記憶装置１２に記憶される装置制御プログラム１２Ｐとしては、当該電子辞書装置１０の全体の動作を司るシステムプログラムや通信制御部１５を介してユーザＰＣなどとデータ通信するための通信プログラムが記憶される他に、検索文字列のキー入力に応じた見出し語検索処理や選択見出し語に対応した各種辞書情報（訳語・意味内容・例文（用例）など）の読み出し表示処理、表示テキスト中の指定の漢字に対応した「よみ」の表示処理、当該指定漢字からの他言語での対応漢字の検索処理、同指定漢字に対応する英語，新旧字体，簡体字／繁体字など付属情報の検索処理など、同主記憶装置１２内に記憶された辞書データベース１２ａ〜１２ｄに基づく処理全般を制御するための各種の処理プログラムが記憶される。
【００２４】
前記主記憶装置１２内の辞書データベース１２ａ〜１２ｄとしては、各種言語系対訳辞書１２ａ、ｃｏｄｅ変換テーブル１２ｂ、各種言語系読み辞書１２ｃ、付属情報辞書１２ｄなどが用意される。
【００２５】
前記各種言語系対訳辞書１２ａとしては、「日中辞書」１２ａ１、「英和辞書」１２ａ２、「日韓辞書」１２ａ３、…など、第１言語の見出し語と第２言語の説明情報とを対応付けた種類の異なる辞書データが、予めあるいはダウンロードされて複数辞書記憶される。これらの各種言語系対訳辞書１２ａにおいて、集録された見出し語や対応する説明情報として記述されている各言語の文字は、当該各言語に固有の文字コードに対応付けられて管理されている。
【００２６】
前記各種言語系読み辞書１２ｃとしては、日本語の漢字とその読みを対応付けて集録した日本語系読み辞書１２ｃ１、中国語の漢字とその読みを対応付けて集録した中国語系読み辞書１２ｃ２、韓国語の漢字とその読みを対応付けて集録したその語系読み辞書１２ｃ３の各言語系の漢字の読みの辞書データが、予めあるいはダウンロードされて記憶される。これらの各種言語系読み辞書１２ｃにおいて、集録された各言語の漢字は、当該各言語に固有の文字コードに対応付けられて管理されている。
【００２７】
ｃｏｄｅ変換テーブル１２ｂは、各言語間で統一的な文字コードであるユニコード(Unicode)を有し、このユニコードに基づき各言語間で同義となる文字の文字コード（日本語コードＪＰ／中国語コードＺＨ／韓国語コードＫＯ）を対応付けたものである。このｃｏｄｅ変換テーブル１２ｂに従い、ある一方の言語の文字に対応する他方の言語の文字を検索できる。
【００２８】
図２は、前記電子辞書装置１０の主記憶装置１２に記憶されたｃｏｄｅ変換テーブル１２ｂの機能を示す図である。
【００２９】
このコード変換テーブル１２ｂによれば、例えば表示部１８に検索表示された中国語の漢字に対応する同義の日本語の漢字や韓国語の漢字を、日本語系読み辞書１２ｃ１や韓国語系読み辞書１２ｃ３から容易に検索することができる。
【００３０】
また、前記付属情報辞書１２ｄとしては、前記ｃｏｄｅ変換テーブル１２ｂが有するユニコードのそれぞれに対し、英語を対応付けた英語付属情報辞書１２ｄ１、新旧字体を対応付けた新旧字体付属情報辞書１２ｄ２、簡体字と繁体字を対応付けた字体切替付属情報辞書１２ｄ３の各辞書データが、予めあるいはダウンロードされて記憶される。
【００３１】
ＲＡＭ（作業領域）１６は、表示部１８の表示画面に対応した表示データの記憶領域、辞書検索処理された見出し語や辞書情報、漢字とその読み、付属情報など、前記各種のプログラム（１２Ｐ）に従いＣＰＵ１１に入出力される種々のデータが必要に応じて記憶される種々の記憶領域を有する。
【００３２】
キー入力部１７には、任意の辞書を指定するための辞書指定キー、検索文字列などを入力するための文字入力キー、当該検索文字列に応じた見出し語からその対訳などの辞書情報を表示させるための訳／決定キー、表示されたカーソルの移動方向を指示するためのカーソルキーなどの他に、現在表示中の言語系の辞書情報から前記ｃｏｄｅ変換テーブル１２ｂを使用して他の言語系の対応する情報などを検索表示させるための「クロスジャンプ」キー１７ａなどが備えられる。
【００３３】
次に、前記構成の電子辞書装置１０による漢字情報の検索表示機能について説明する。
【００３４】
図３は、前記電子辞書装置１０による漢字読み表示処理を示すフローチャートである。
【００３５】
図４は、前記電子辞書装置１０の漢字読み表示処理に伴うユーザ操作に対応した表示動作（その１）を示す図である。
【００３６】
図５は、前記電子辞書装置１０の漢字読み表示処理に伴うユーザ操作に対応した表示動作（その２）を示す図である。
【００３７】
なお、本実施形態にて動作説明する電子辞書装置１０は、ユーザの母国語が日本語である場合の日本仕向けの装置として主に説明する。
【００３８】
キー入力部１７の辞書指定キーにより「日中辞書」１２ａ１が指定されると、図４（Ａ）に示すように、検索文字列入力画面Ｇ１が表示部１８に表示される。
【００３９】
この検索文字列入力画面Ｇ１において、文字入力キーにより例えば「や」「ま」と入力されると、図４（Ｂ）に示すように、入力された検索文字列「や」「ま」と先頭一致する見出し語「やま［山］」「や-ま［矢間］」…が検索され、見出し語一覧エリアＭに表示されると共に、先頭の見出し語「やま［山］」がカーソルＣｕにより選択され、当該選択見出し語「やま［山］」に対応する説明情報「やま［山］山についての…」が読み出されて辞書情報プレビューエリアＰに表示される。
【００４０】
この辞書情報プレビューエリアＰの表示状態で、キー入力部１７の訳／決定キーが操作されると、図４（Ｃ）に示すように、前記プレビュー表示されていた説明情報「やま［山］山についての…」が説明情報表示画面Ｇ２として表示部１８に全画面表示される（ステップＳ１）。
【表１】
2010160752.tif 000003
【００４１】
そして、前記コード変換された日本語の文字コード（ＪＰ）に従い、日本語系読み辞書１２ｃ１から対応する漢字「愛」とその読み「アイ」が検索される（ステップＳ８）。
【００４２】
また、検索対象漢字「愛」のユニコードに従い、当該漢字「愛」に対応する付属情報が付属情報辞書１２ｄから検索され、例えば英語付属情報辞書１２ｄ１から対訳の「love」が読み出される（ステップＳ９）。
【表２】
2010160752.tif 000004
【００４３】
例えばユーザの母国語が韓国語であり前記電子辞書装置１０が韓国仕向けである場合に、日韓辞書１２ａ３を指定して検索文字列「やま」が入力され、図５（Ｆ）に示すように対応する説明情報が検索され、その説明情報表示画面Ｇ２が全画面表示された状態で（ステップＳ１）、当該説明情報の中の日本語の漢字「会」がタッチされて指定されると（ステップＳ２（Ｙｅｓ））、当該指定された漢字「会」が指定枠Ｓ（図５（Ｄ）参照）に囲まれて表示されその文字コード（ＪＰ）が取得されてＲＡＭ１６に記憶される（ステップＳ３）。
【００４４】
すると、この日本語の漢字「会」の文字コード（ＪＰ）に従い、日本語系読み辞書１２ｃ１から当該日本語の漢字「会」の読みデータ「カイ／エ／あ」が検索され（ステップＳ４）、前記漢字「会」の指定枠Ｓに関係付けた韓国語見出しによる読み表示枠Ｙ（図５（Ｄ）参照）に表示される（ステップＳ５）。
【００４５】
ここで、前記ユーザが指定した日本語の漢字「会」（カイ）に対応する韓国語の漢字やその他の付属情報を知るために「クロスジャンプ」キー１７ａが操作されると（ステップＳ６（Ｙｅｓ））、前記日本語の漢字「会」の文字コード（ＪＰ）がｃｏｄｅ変換テーブル１２ｂ（図２参照）に従い一旦ユニコード(Unicode)に変換され、さらに当該ユニコードに対応する韓国語の文字コード（ＫＯ）に変換される（ステップＳ７）。
【表３】
2010160752.tif 000005
【００４６】
なお、前記実施形態では、ユーザ任意の表示漢字を指定して「クロスジャンプ」キー１７ａを操作した場合に、当該ユーザの母国語である仕向け地に対応させて、指定漢字の言語の文字コードをｃｏｄｅ変換テーブル１２ｂにより母国語の文字コードに変換し、対応する漢字やその読みさらには英訳などの付属情報も検索表示する構成とした。
【００４７】
これに対し、指定の辞書の対訳言語系に応じて、検索表示させるべき変換先の言語を決定する構成としてもよい。つまり、例えば日中辞書から検索表示させた説明情報表示画面Ｇ２において、日本語の漢字を指定した場合には、前記ｃｏｄｅ変換テーブル１２ｂにより対訳である中国語の漢字とその読みを中国語系読み辞書１２ｃ２から検索し、逆に、中国語の漢字を指定した場合には、前記ｃｏｄｅ変換テーブル１２ｂにより対訳である日本語の漢字とその読みを日本語系読み辞書１２ｃ１から検索する構成とすればよい。
【００４８】
したがって、前記構成の電子辞書装置１０による漢字情報の検索表示機能によれば、任意の辞書１２ａｎから検索された辞書情報が表示部１８に表示された状態で、当該表示中の辞書情報の中で所望の漢字を指定すると、当該指定の漢字の言語系の読み辞書１２ｃｎからその「読み」が検索されて表示される。そして「クロスジャンプ」キー１７ａを操作すると、前記指定の漢字の言語系の文字コードがｃｏｄｅ変換テーブル１２ｂによりユニコードに変換されると共に、装置本体の仕向け地に応じた言語系の文字コードあるいは前記辞書１２ａｎの対訳言語系に応じた文字コードに変換され、対応する言語系の読み辞書１２ｃｎ′から当該変換された文字コードの漢字とその読みが検索されて表示される。さらに、前記指定の漢字のユニコードから当該指定の漢字に対応する英語や他の字体などの付属情報も付属情報辞書１２ｄから検索されて詳細表示画面Ｈとして表示される。このため、ユーザ指定の漢字が母国語ではない他の言語系の漢字である場合に、当該漢字に関する情報を母国語として分かり易く表示させることができ、しかも当該指定の漢字をより理解しやすくするための付属情報も合わせて検索して表示させることができる。
【００４９】
なお、前記実施形態において記載した電子辞書装置１０による各処理の手法、すなわち、各種言語系対訳辞書１２ａや各種言語系よみ辞書１２ｃ、付属情報辞書１２ｄからなる辞書データベース、およびｃｏｄｅ変換テーブル１２ｂを用いた図３のフローチャートに示す漢字読み表示処理の手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、電子装置（１０）のコンピュータは、この外部記憶媒体１３に記憶された辞書データ、テーブル、及びプログラムを記憶装置（１２）に読み込み、この読み込んだプログラムによって動作が制御されることにより、前記実施形態において説明した漢字情報の検索表示機能を実現し、前述した手法による同様の処理を実行することができる。
【００５０】
また、前記各手法を実現するためのプログラム、データ、およびテーブルは、プログラムコードの形態としてネットワークＮ上を伝送させることができ、このプログラム、データ、およびテーブルを、ネットワークＮに接続された電子装置（１０）のコンピュータに通信制御部１５によって取り込むことで、前述した漢字情報の検索表示機能を実現することもできる。
【００５１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００５２】
【図１】本発明の実施形態に係る電子辞書装置の電子回路の構成を示すブロック図。
【図２】前記電子辞書装置１０の主記憶装置１２に記憶されたｃｏｄｅ変換テーブル１２ｂの機能を示す図。
【図３】前記電子辞書装置１０による漢字読み表示処理を示すフローチャート。
【図４】前記電子辞書装置１０の漢字読み表示処理に伴うユーザ操作に対応した表示動作（その１）を示す図。
【図５】前記電子辞書装置１０の漢字読み表示処理に伴うユーザ操作に対応した表示動作（その２）を示す図。
【符号の説明】
【００５３】
１０  …電子辞書装置
１１  …ＣＰＵ
１２  …主記憶装置
１２ａ…各種言語系対訳辞書
１２ａ１…日中辞書
１２ａ２…英和辞書
１２ｂ…ｃｏｄｅ変換テーブル
１２ｃ…各種言語系読み辞書
１２ｃ１…日本語系読み辞書
１２ｃ２…中国語系読み辞書
１２ｃ３…韓国語系読み辞書
１２ｄ…付属情報辞書
１２ｄ１…英語付属情報辞書
１２ｄ２…新旧字体付属情報辞書
１２ｄ３…字体切替付属情報辞書
１２Ｐ…装置制御プログラム
１３  …外部記憶媒体
１４  …記憶媒体読み書き部
１５  …通信制御部
１６  …ＲＡＭ（作業領域）
１７  …キー入力部
１７ａ…「クロスジャンプ」キー
１８  …表示部
１９  …タッチパネル
２０  …ユーザＰＣ
３０  …Ｗｅｂサーバ
Ｎ    …通信ネットワーク（インターネット）
Ｇ１  …検索文字列入力画面
Ｇ２  …説明情報表示画面
Ｍ    …見出し語表示エリア
Ｐ    …辞書情報プレビューエリア
Ｃｕ  …カーソル
Ｓ    …文字指定枠
Ｙ    …読み表示枠
Ｈ    …詳細表示画面
【図１】
2010160752.tif 000006
【図２】
2010160752.tif 000007
【図３】
2010160752.tif 000008
【図４】
2010160752.tif 000009
【図５】
2010160752.tif 000010